(57)【要約】【課題】  清掃体を構成するブレードが塵埃表面を上滑りすること無く確実に掻き上げて除去することが可能なフィルター清掃装置を提供する。【解決手段】  フィルター清掃装置１０は、清掃装置本体２と、通風から塵埃を捕集可能な円弧状のフィルター体１と、側部に塵埃を掻き上げるための突起３ｇが形成されたブレード３ｂと、このブレード３ｂを回動させる基台３ｃとを備え、フィルター体１に沿って可動し、フィルター体１に付着した塵埃を除去する清掃体３を有している。そして、清掃体３の一方の端部３ｆから清掃体の他方の端部３ｄまでの長さは、清掃体３の一方の端部３ｆからフィルター体１のフィルター面までの最短距離よりも長くしている。【選択図】図３
2018069181.tif 000002
【特許請求の範囲】
【請求項１】
フィルター清掃装置は、
清掃装置本体と、
通風から塵埃を捕集可能なフィルター体と、
側部に塵埃を掻き上げるための突起が形成されたブレードを備え、前記フィルター体に沿って可動し、該フィルター体に付着した塵埃を除去する清掃体と、を有し、
前記清掃体の一方の端部から他方の端部までの長さは、該清掃体の一方の端部から前記フィルター体のフィルター面までの最短距離よりも長く、
前記清掃装置本体は、前記ブレードが前記フィルター体に摺接していない前記清掃体の初期位置において、前記ブレードの先端部を収容する凹部を備え、前記突起は、前記フィルター体に積層した塵埃の一方の端部に当接して掻き上げるものであることを特徴とするフィルター清掃装置。
【請求項２】
フィルター清掃装置は、
清掃装置本体と、
通風から塵埃を捕集可能なフィルター体と、
側部に塵埃を掻き上げるための突起が形成されたブレードを備え、前記フィルター体に沿って可動し、該フィルター体に付着した塵埃を除去する清掃体と、を有し、
前記清掃体の一方の端部から他方の端部までの長さは、該清掃体の一方の端部から前記フィルター体のフィルター面までの最短距離よりも長く、
前記清掃装置本体は、前記ブレードが前記フィルター体に摺接していない前記清掃体の初期位置において、前記ブレードの先端部を収容する凹部を備えると共に、該ブレードの先端部が前記凹部に収容されている状態で、前記突起は、前記フィルター面と同一の高さ位置における前記ブレードの側部から前記ブレードの先端までの間に形成されていること特徴とするフィルター清掃装置。
【請求項３】
フィルター面の清掃時に、ブレードの側部に形成された突起の先端部は前記フィルター面に当接していると共に前記突起の根元部より前記先端部が先行して塵埃に当接することを特徴とする請求項１又は２に記載のフィルター清掃装置。
【請求項４】
清掃体は、回動又は回転することを特徴とする請求項１〜３のいずれか１項に記載のフィルター清掃装置。
【請求項５】
清掃装置本体は、可動手段を備え、該可動手段は、清掃体の回動軸に対して直交する方向に往復動が可能な操作レバーと、該操作レバーから伝達される直線運動を回転運動に変換させる運動変換手段とを備えていることを特徴とする請求項４に記載のフィルター清掃装置。
【請求項６】
槽体内に回転自在に配置され衣類などを収容する回転ドラム内に、送風手段及び加熱手段により発生した温風を、循環ダクトを経て循環供給して衣類を乾燥可能とするとともに、前記循環ダクトの前記槽体からの排気側に請求項１〜５のいずれか１項に記載のフィルター清掃装置を備えたことを特徴とする衣類乾燥機。
【発明の詳細な説明】
【技術分野】
【０００１】
本発明は、フィルターに付着した塵埃を除去するためのフィルター清掃装置と、このフィルター清掃装置を備えた衣類乾燥機に関するものである。
【背景技術】
【０００２】
従来から、塵埃を捕集するフィルターが設置され、このフィルターに付着した塵埃を除去するためのフィルター清掃装置が知られている（特許文献１）。
【０００３】
特許文献１のフィルター清掃装置は、乾燥用空気を通す第１の通風部と、第１の通風部に導入された乾燥用空気からリントを捕捉する第１のフィルタ部と、第１の通風部の側方に設けた第２の通風部と、第２の通風部に設けた第２のフィルタ部と、第１の通風部に導入された乾燥用空気の一部を第２の通風部へ流す開口部と、開口部を開閉する開閉体と、第１のフィルタ部および第２のフィルタ部で捕捉されたリントを掻き取るリント除去装置を有し、開閉体は、リント除去装置で掻き取られたリントが第２の通風部へ移動するように開口部を開く構成としている（特許文献１の図３参照）。
【先行技術文献】
【特許文献】
【０００４】
【特許文献１】特開２０１１−１３０７８６号公報
【発明の概要】
【発明が解決しようとする課題】
【０００５】
しかしながら、上記特許文献１に記載のリント除去装置は、ブレードがストッパまで回動してフィルターを清掃する構成となっており、衣類乾燥機のリント（塵埃）は、シート状に積層され、通風によって圧縮されているため、フィルターの清掃時にブレードがリントの上に乗りあげて、リント表面を上滑りすることがあるという課題を有していた。
【０００６】
本発明は、前記従来の課題を解決するものであり、清掃体を構成するブレードが塵埃表面を上滑りすること無く確実に掻き上げて除去することが可能なフィルター清掃装置と、このフィルター清掃装置を備えた衣類乾燥機を提供することを目的とする。
【課題を解決するための手段】
【０００７】
前記従来の課題を解決するために、請求項１のフィルター清掃装置の発明は、フィルター清掃装置は、清掃装置本体と、通風から塵埃を捕集可能なフィルター体と、側部に塵埃を掻き上げるための突起が形成されたブレードを備え、前記フィルター体に沿って可動し、該フィルター体に付着した塵埃を除去する清掃体と、を有し、前記清掃体の一方の端部から他方の端部までの長さは、該清掃体の一方の端部から前記フィルター体のフィルター面までの最短距離よりも長く、前記清掃装置本体は、前記ブレードが前記フィルター体に摺接していない前記清掃体の初期位置において、前記ブレードの先端部を収容する凹部を備え、前記突起は、前記フィルター体に積層した塵埃の一方の端部に当接して掻き上げるものであることを特徴としている。
【０００８】
請求項１の発明では、清掃装置本体は、ブレードがフィルター体に摺接していない清掃体の初期位置において、ブレードの先端部を収容する凹部を備えており、且つ清掃体の一方の端部から他方の端部までの長さを、清掃体の一方の端部からフィルター体のフィルター面までの最短距離よりも長くしている。従って、清掃体が塵埃に当接する際に、ブレードの突起がフィルター体に積層した塵埃の一方の端部の下側から持ち上げるように当接して掻き上げることができる。この様な構成とすることで、通風の圧力により強くフィルター体へ押し付けられシート状に積層した塵埃を剥がし始めるきっかけを確実に作り、塵埃を上滑りすることを防ぐことができる。また、清掃体の一方の端部から他方の端部までの長さは、清掃体の一方の端部からフィルター体のフィルター面までの最短距離よりも長くしたことにより、突起が形成されたブレードは、屈曲又は湾曲した状態でフィルター体に当接することとなるので、ブレードの復元力によって、塵埃を弾き飛ばすことができると共にブレードの先端に塵埃が残ることを抑制できる。
【０００９】
請求項２のフィルター清掃装置の発明は、フィルター清掃装置は、清掃装置本体と、通風から塵埃を捕集可能なフィルター体と、側部に塵埃を掻き上げるための突起が形成されたブレードを備え、前記フィルター体に沿って可動し、該フィルター体に付着した塵埃を除去する清掃体と、を有し、前記清掃体の一方の端部から他方の端部までの長さは、該清掃体の一方の端部から前記フィルター体のフィルター面までの最短距離よりも長く、前記清掃装置本体は、前記ブレードが前記フィルター体に摺接していない前記清掃体の初期位置において、前記ブレードの先端部を収容する凹部を備えると共に、該ブレードの先端部が前記凹部に収容されている状態で、前記突起は、前記フィルター面と同一の高さ位置における前記ブレードの側部から前記ブレードの先端までの間に形成されていること特徴としている。
【００１０】
請求項２の発明では、清掃装置本体は、ブレードがフィルター体に摺接していない清掃体の初期位置において、ブレードの先端部を収容する凹部を備えており、且つ清掃体の一方の端部から他方の端部までの長さを、清掃体の一方の端部からフィルター体のフィルター面までの最短距離よりも長くしている。加えて、ブレードの先端部が前記凹部に収容されている状態で、突起は、前記フィルター面と同一の高さ位置における前記ブレードの側部から前記ブレードの先端までの間に形成されている。この様に構成することで、清掃体が凹部から乗り上げる際に、ブレードの突起がフィルター体に積層した塵埃の下側から持ち上げるように当接して掻き上げることができる。この場合において、側部に塵埃を掻き上げる為の突起が前記フィルター面と同一の高さ位置における前記ブレードの側部から前記ブレードの先端までの間に形成されていることで、塵埃に当接する際に、塵埃の下側から突起が食い込むこととなり、確実に塵埃を掻き上げることができる。また、清掃体の一方の端部から他方の端部までの長さは、清掃体の一方の端部からフィルター体のフィルター面までの最短距離よりも長くしたことにより、突起が形成されたブレードは、屈曲又は湾曲した状態でフィルター体に当接することとなるので、ブレードの復元力によって、塵埃を弾き飛ばすことができると共にブレードの先端に塵埃が残ることを抑制できる。
【００１１】
請求項３のフィルター清掃装置の発明は、請求項１又は２の発明において、フィルター面の清掃時に、ブレードの側部に形成された突起の先端部は前記フィルター面に当接していると共に前記突起の根元部より前記先端部が先行して塵埃に当接することを特徴としている。したがって、突起の先端部がフィルター面と塵埃との間に入り込んで塵埃をヘラのように剥がし取ることができる。
【００１２】
請求項４のフィルター清掃装置の発明は、請求項１〜３のいずれかの発明において、清掃体は、回動又は回転することを特徴としている。したがって、回動又は回転する清掃体がフィルター体に付着した塵埃を掻き上げて除去することができる。
【００１３】
請求項５のフィルター清掃装置の発明は、請求項４の発明において、清掃装置本体は、可動手段を備え、該可動手段は、清掃体の回動軸に対して直交する方向に往復動が可能な操作レバーと、該操作レバーから伝達される直線運動を回転運動に変換させる運動変換手段とを備えていることを特徴としている。したがって、清掃体の回動軸と同軸状に可動手段を設けた場合と比較してフィルター清掃装置を小型化することができる。
【００１４】
請求項６の衣類乾燥機の発明は、槽体内に回転自在に配置され衣類などを収容する回転ドラム内に、送風手段及び加熱手段により発生した温風を、循環ダクトを経て循環供給して衣類を乾燥可能とするとともに、前記循環ダクトの前記槽体からの排気側に請求項１〜５のいずれか１項に記載のフィルター清掃装置を備えたことを特徴としている。したがって、シート状に積層した塵埃を上滑りすることなく確実に除塵でき、ブレードの突起の先端部がフィルター面と塵埃との間に入り込んで塵埃をヘラのように剥がし取ることができ、手動でフィルター体に付着した塵埃を除去することができ、フィルター清掃装置を小型化することができる衣類乾燥機を提供することができる。
【発明の効果】
【００１５】
請求項１及び２のフィルター清掃装置の発明は、シート状に積層した塵埃を上滑りすることなく確実に除塵でき、ブレードがフィルター体に付着した塵埃を掻き取る効果を高めることができると共にブレードの先端に塵埃が残ることを抑制できる。請求項３の発明は、突起の先端部がフィルター面と塵埃との間に入り込んで塵埃をヘラのように剥がし取ることができる。請求項４の発明は、回動又は回転する清掃体がフィルター体に付着した塵埃を掻き上げて除去するため、構造が複雑にならず、小型で安価なフィルター清掃装置とすることができる。請求項５の発明は、フィルター清掃装置を小型化することができる。
【００１６】
また、請求項６の衣類乾燥機の発明は、シート状に積層した塵埃を上滑りすることなく確実に除塵でき、ブレードの突起の先端部がフィルター面と塵埃との間に入り込んで塵埃をヘラのように剥がし取ることができ、手動でフィルター体に付着した塵埃を除去することができ、フィルター清掃装置を小型化することができる衣類乾燥機を提供することができる。
【図面の簡単な説明】
【００１７】
【図１】本発明に係る衣類乾燥機を示す斜視図
【図２】本発明に係る衣類乾燥機の内部構成を示す断面図
【図３】（ａ）本発明に係る第１実施形態のフィルター清掃装置の外観を示す斜視図（ｂ）本発明に係る第１実施形態のフィルター清掃装置の内部構造を示す斜視図
【図４】（ａ）〜（ｃ）本発明に係るフィルター清掃装置を構成する可動手段の動作を示す説明図
【図５】本発明に係る第１実施形態のフィルター清掃装置の清掃動作を示す説明図
【図６】本発明に係る第１実施形態のフィルター清掃装置の清掃動作を示す説明図
【図７】（ａ）〜（ｃ）ブレードが塵埃に当接する動作を示す説明図
【図８】（ａ）及び（ｂ）凹部の他の実施形態を示す説明図
【図９】本発明に係る他のフィルター清掃装置の第２実施形態を示す説明図
【図１０】（ａ）及び（ｂ）ブレードの他の実施形態を示す説明図
【発明を実施するための形態】
【００１８】
以下、本発明の実施形態について、図面を参照しながら説明する。なお、この実施の形態によって本発明が限定されるものではない。
【００１９】
図１は、本発明に係る衣類乾燥機を示す斜視図であり、図２は、同衣類乾燥機の内部構造を示す断面図である。これらの図を用いて本発明に係る衣類乾燥機について説明する。本発明に係る衣類乾燥機２０は、前面にドア２０ａを備え、槽体２０ｄ内に回転自在に配置され衣類などを収容する回転ドラム２０ｂ内に、送風手段（ファン）２３及び加熱手段２２により発生した温風を、循環ダクト２１ａ、２１ｂ、２１ｃを経て循環供給して衣類を乾燥可能とするとともに、循環ダクト２１ａ、２１ｂ、２１ｃの槽体２０ｄからの排気側にフィルター清掃装置１０が設置されている。
【００２０】
符号２０ｃは、回転ドラム２０ｂを回転させるモータであり、このモータ２０ｃは、乾燥処理、洗濯処理、すすぎ処理や脱水処理といった様々な処理の間、回転ドラム２０ｂを回転させる。また、加熱手段２２には、一例として、熱交換器を使用することができる。尚、熱交換器の方式として、ヒートポンプ式やヒーター式等、様々な方式を採用することができる。また、衣類乾燥機２０は、ドラム式としているが、これに限定するものではなく、例えば縦型など様々の方式を採用することができる。
【００２１】
図３（ａ）は、本発明に係る第１実施形態のフィルター清掃装置の外観を示す斜視図であり、図３（ｂ）は、本発明に係る第１実施形態のフィルター清掃装置の内部構造を示す斜視図である。図３を用いて本発明に係るフィルター清掃装置の第１実施形態を以下に説明する。
【００２２】
フィルター清掃装置１０は、清掃装置本体２と、通風から塵埃を捕集可能な一部が円弧状のフィルター体１を有している。また、回動軸３ａと、側部に塵埃を掻き上げるための突起３ｇが形成されたブレード３ｂと、このブレード３ｂを回動させる基台３ｃとを備え、フィルター体１に沿って可動（往復回動）し、フィルター体１に付着した塵埃を除去する清掃体３を有している。
【００２３】
そして、清掃体３の一方の端部３ｆから清掃体の他方の端部３ｄまでの長さは、清掃体３の一方の端部３ｆからフィルター体１のフィルター面１２までの最短距離よりも長く、基台３ｃの先端には、往路における清掃体３の進行方向に対してブレード３ｂの後方側に当接する支持部３ｅが形成されていて、ブレード３ｂは往路において、進行方向後方に屈曲又は湾曲した状態でフィルター体１に当接する。また、ブレード３ｂの材質としてエラストマーを使用しているが、これに限定されるものではなく、ゴム、軟質樹脂、発泡樹脂、不織布、などでもよく、またこれらの複合材でもよい。
【００２４】
また、ブレード３ｂは、往路の終端近傍においてフィルター体１から離れることによって、屈曲又は湾曲した状態から解放される（初期状態に戻る）構成としている。このように構成されたフィルター清掃装置１０は、清掃体３の一方の端部３ｆから清掃体の他方の端部３ｄまでの長さを、清掃体３の一方の端部３ｆからフィルター体１のフィルター面１２までの最短距離よりも長くしたことにより、ブレード３ｂは、往路において進行方向後方に屈曲又は湾曲した状態でフィルター体１に当接することとなるので、往路の終端近傍でブレード３ｂの復元力によって、塵埃を弾き飛ばすことができると共にブレードの先端に塵埃が残ることを抑制できる。また、往路におけるブレード３ｂの進行方向後方側に当接する支持部３ｅが形成されているので、ブレード３ｂがフィルター体１に付着した塵埃を掻き取る効果を高めることができる。
【００２５】
また、図３（ｂ）において清掃装置本体２は、ブレード３ｂがフィルター体１に摺接していない清掃体３の初期位置において、ブレード３ｂの先端部を収容する凹部４を備えている。従って、清掃体３が塵埃９に当接する際に、ブレード３ｂの突起３ｇがフィルター体１に積層した塵埃９の一方の端部の下側、すなわちフィルター体１側から持ち上げるように当接して掻き上げることができる。この様な構成とすることで、通風の圧力により、強くフィルター体１へ押し付けられシート状に積層した塵埃９を剥がし始めるきっかけを確実に作り、塵埃を上滑りすることを防ぐことができる。
【００２６】
また、清掃装置本体２は、塵埃を排出するための塵埃排出口５を備えている。この塵埃排出口５は、フィルター体１に捕集された塵埃の外部への排出を防ぐと共に開閉可動する塵埃排出抑制体６が設置されている。この塵埃排出抑制体６は、塵埃の外部への排出を防ぐために、格子状に設置された長板６ａ、６ｂを備えている。これにより、使用者がフィルター清掃装置１０を衣類乾燥機２０から取り外し、ゴミ箱等の所定の廃棄場所まで運ぶ際に塵埃がこぼれ落ちることを抑制できる。また、塵埃排出抑制体６は、フラップ６ｄを備えている。このプラップ６ｄは、清掃体３の回動軸３ａに塵埃が付着しないように気流を下方向に誘導している。
【００２７】
また、清掃装置本体２は、清掃体３と連結し、清掃体３を可動させるための可動手段７を備えており、この可動手段７は、フィルター清掃装置１０の外側面２ａに設置されている。
【００２８】
次に、図４（ａ）〜（ｃ）を用いて、本発明に係るフィルター清掃装置１０を構成する可動手段７の動作を説明する。可動手段７は、前述したように、フィルター清掃装置１０の外側面２ａに設置されているものであって、清掃体３の回動軸３ａに対して直交する方向に往復動が可能な操作レバー７ａと、この操作レバー７ａから伝達される直線運動を回転運動に変換させる運動変換手段７ｂとを備えている。
【００２９】
具体的には、操作レバー７ａは、ラックギアから構成され、運動変換手段７ｂは、平歯車から構成されている。そして、回動軸３ａの回動中心は、平歯車の回転中心と一致するよう形成されており、平歯車に伝達された動力は回動軸３ａを通じて清掃体３を回動させる。そして、図４（ａ）に示した初期状態から、操作レバー７ａを図面上左方向に押すと、操作レバー７ａの先端と接触している塵埃排出抑制体６の押圧部６ｃが図面上左方向に押され、塵埃排出抑制体６の一方の端部が連結している回動軸８回りに回転して図４（ｂ）に示す状態となる。
【００３０】
そして、図４（ｂ）に示す状態から、塵埃排出抑制体６を図面上時計回りに回転させることによって、図４（ｃ）に示す押圧部６ｃが操作レバー７ａの先端と接触する状態となり、更に押圧部６ｃが操作レバー７ａを押すことによって図４（ａ）に示す初期状態へと復帰する。
【００３１】
図５は、往路における第１実施形態のフィルター清掃装置の清掃動作を示している。往路における初期位置では、清掃体３のブレード３ｂは、凹部４に収容されている。そして、清掃体３を図面上、時計回りに回転させることによって、ブレード３ｂは、凹部４から移動してフィルター体１に当接することとなる。なお、ブレード３ｂが凹部４に収容されている時、可動手段７は図４（ａ）の状態であり、操作レバー７ａを図面上左側に押し込むにつれて清掃体３が回動してフィルター体１を清掃する。
【００３２】
フィルター体１に当接している状態のブレード３ｂは、進行方向に対して後方側に屈曲又は湾曲した状態となっている。そして、往路の終端近傍においてフィルター体１から離れることによって、ブレード３ｂは、屈曲又は湾曲状態から解放されると共に、塵埃９は、塵埃排出口５から外部へと弾き出されることとなる。この時、可動手段７は図４（ｂ）の状態であり、塵埃排出抑制体６は開いている。このように構成することで、使用者はゴミ箱等の所定の廃棄場所に塵埃を捨てる際に、ブレード３ｂの復元力によって、塵埃を弾き飛ばすので確実に廃棄場所まで移送する事ができる。
【００３３】
図６は、復路における第１実施形態のフィルター清掃装置の清掃動作を示しており、この時、可動手段７は図４（ｃ）の状態から図４（ａ）に示す初期状態へと復帰している。復路において清掃体３は、ブレード３ｂが屈曲又は湾曲状態から解放された状態から、フィルター体１に当接することによって、進行方向に対して後方側にブレード３ｂの根元近傍を支点として緩やかに屈曲又は湾曲した状態となる。これは、清掃体３が復路における進行方向に対してブレード３ｂの前方側に当接する支持部３ｅを備えているが、後方側には支持部３ｅが形成されていないからである。また、ブレード３ｂは一方の端部が基台３ｃに固定されているが、支持部３ｅには固定されていない。したがって、フィルター体１に当接した状態のブレード３ｂは、往路と復路とでは屈曲方向と屈曲の支点及び角度が異なるようになるのである。そのため、往路では支持部３ｅの先端を支点にブレード３ｂが略Ｌ字状に大きな角度で屈曲又は湾曲するので、フィルター体１へのブレード３ｂの当たりが強くなる。したがって、除塵効率が向上すると共に、往路の終端近傍で塵埃９を弾き飛ばす力を強くすることができる。
【００３４】
また、復路において撓んだ状態のブレード３ｂが凹部４に位置することによって、撓みが無くなり、元の状態へと戻すことができる。もし、凹部４を形成しないと、復路から往路へと切替える時に、ブレード３ｂが復路における進行方向の後方側に屈曲した状態から、前方側に屈曲した状態にする必要がある。そのため、使用者が操作レバー７ａを押す時に大きな力が必要となると共に、ブレード３ｂとフィルター体１に大きな負荷が掛かってしまう。そこで、初期位置において凹部４を形成することで、復路から往路への切替えを軽い力で行うことができると共に、ブレード３ｂとフィルター体１の耐久性が向上する。
【００３５】
図７は、ブレードが塵埃に当接する動作を示す説明図である。図７（ａ）に示すように、清掃体３は、初期位置において、側部に塵埃を掻き上げるための突起３ｇが形成されたブレード３ｂの先端部は、凹部４に収容されている。次に、図７（ｂ）に示すように、ブレード３ｂは凹部４から乗り上げながら、シート状の塊となった塵埃９の一方の端部に当接する。そして、図７（ｃ）に示すように、清掃体３は、突起３ｇの根元部より先端部が先行して塵埃９に当接していると共に、ブレード３ｂの突起３ｇが塵埃９を掻き上げつつ、前方へと移動していく。
【００３６】
また、ブレード３ｂの先端部が凹部４に収容されている状態で、突起３ｇの一部は、フィルター面と同一の高さ位置におけるブレード３ｂの側部からブレード３ｂの先端３ｄまでの間に形成されている。この様に構成することで、清掃体３が塵埃９に当接する際に、ブレードの突起３ｇがフィルター体１に積層した塵埃９の一方の端部の下側、すなわちフィルター体１側から持ち上げるように当接して掻き上げることができる。この場合において、側部に塵埃９を掻き上げる為の突起３ｂがフィルター面と同一の高さ位置におけるブレード３ｂの側部からブレード３ｂの先端までの間に形成されていることで、塵埃９に当接する際に、塵埃９の下側から突起が食い込むこととなり、確実に塵埃９を掻き上げることができる。
【００３７】
図８は、凹部の他の実施形態を示す説明図である。図８（ａ）では、段差を設けずに、ゆるやかな曲面状となるように凹部４ａが形成されている。また、図８（ｂ）では、凹部４ｂが浅く形成されており、ブレード３ｂと当接した状態となっている。この状態のブレード３ｂであっても、フィルター体１に当接した状態と比較して屈曲又は湾曲状態が軽減されており、復路から往路への切り換え時に、ブレード３ｂに加わる抵抗を軽減させることができる。
【００３８】
図９は、本発明に係る第２実施形態のフィルター清掃装置を示す説明図である。図９に示すフィルター清掃装置１０ａは、清掃装置本体２Ａと、通風から塵埃を捕集可能なフィルター体１Ａと、側部に塵埃を掻き上げるための突起１１ｇが形成されたブレード１１ｂを備え、フィルター体１Ａに沿って可動し、フィルター体１Ａに付着した塵埃９を除去する清掃体１１とを有している。
【００３９】
また、清掃体１１の一方の端部１１ｆから他方の端部１１ｄまでの長さは、清掃体１１の一方の端部１１ｆからフィルター体１Ａのフィルター面１２までの最短距離よりも長くしている。また、基台１１ｃの先端には、往路における清掃体１１の進行方向に対してブレード１１ｂの後方側に当接する支持部１１ｅが形成されていて、ブレード１１ｂは往路において、進行方向後方に屈曲又は湾曲した状態でフィルター体１Ａに当接する。
【００４０】
そして、清掃装置本体２Ａは、ブレード１１ｂがフィルター体１Ａに摺接していない清掃体１１の初期位置において、ブレード１１ｂの先端部を収容する凹部４ｃを備えると共に、ブレード１１ｂの先端部が凹部４ｃに収容されている状態で、突起１１ｇの一部は、フィルター面１２と同一の高さ位置におけるブレード１１ｂの側部からブレード１１ｂの先端１１ｄまでの間に形成されている。また、ブレード１１ｂがフィルター体１Ａに摺接していない清掃体１１の往路終点位置において、ブレード１１ｂの先端部を収容する凹部４ｄを備えている。この凹部４ｄによって、ブレード１１ｂの屈曲又は湾曲した状態が解放することができるので、塵埃９を弾き飛ばして塵埃排出口５から排出することができる。
【００４１】
図１０（ａ）及び（ｂ）は、ブレードの他の実施形態を示す説明図である。図１０（ａ）に示すブレード１３ｂでは、ブレード１３ｂの一方の側面に複数の突起１３ｇ、１３ｇが形成されており、この突起１３ｇ、１３ｇは、塵埃９の一方の端部に当接して掻き上げるために機能するので、ブレードの端部１３ｄ側には、突起１３ｇは形成されていない。また、図１０（ｂ）に示すブレード１４ｂでは、ブレード１４ｂの両方の側面に複数の突起１４ｇ、１４ｇが形成されている。このブレード１４ｂの両面に形成された突起１４ｇ、１４ｇは、往路及び復路においてフィルター体１に当接することとなるので、往路で除去することができなかった塵埃９を復路で除去することが可能となる。
【産業上の利用可能性】
【００４２】
本発明に係るフィルター清掃装置は、フィルターに付着した塵埃を除去するために利用されるものである。また、本発明に係る衣類乾燥機は、フィルター清掃装置を備えた衣類乾燥機として利用される。
【符号の説明】
【００４３】
１、１Ａ  フィルター体
２、２Ａ  清掃装置本体
２ａ  外側面
３、１１  清掃体
３ａ  回動軸
３ｂ、１１ｂ、１３ｂ、１４ｂ  ブレード
３ｃ、１１ｃ  基台
３ｄ、１１ｄ  清掃体の他方の端部
３ｅ、１１ｅ  支持部
３ｆ、１１ｆ  清掃体の一方の端部
３ｇ、１１ｇ、１３ｇ、１４ｇ  突起
４、４ａ、４ｂ、４ｃ、４ｄ  凹部
５  塵埃排出口
６  塵埃排出抑制体
６ａ、６ｂ  長板
６ｃ  押圧部
６ｄ  フラップ
７  可動手段
７ａ  操作レバー
７ｂ  運動変換手段
８  回動軸
９  塵埃
１０、１０ａ  フィルター清掃装置
１２  フィルター面
１３ｄ  ブレードの端部
２０  衣類乾燥機
２０ａ  ドア
２０ｂ  回転ドラム
２０ｃ  モータ
２０ｄ  槽体
２１ａ、２１ｂ、２１ｃ  循環ダクト
２２  加熱手段
２３  送風手段（ファン）
【図１】
2018069181.tif 000003
【図２】
2018069181.tif 000004
【図３】
2018069181.tif 000005
【図４】
2018069181.tif 000006
【図５】
2018069181.tif 000007
【図６】
2018069181.tif 000008
【図７】
2018069181.tif 000009
【図８】
2018069181.tif 000010
【図９】
2018069181.tif 000011
【図１０】
2018069181.tif 000012